【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
第１の表示手段および受付手段を有する端末と、制御装置とを備える評価システムであって、
前記端末の前記第１の表示手段は、第１の画像データに基づいて、評価対象物が含まれる第１の画像を表示し、
前記端末の前記受付手段は、前記第１の表示手段に表示された前記第１の画像における、評価者による、注目部の指定および前記注目部に対する評価情報の入力を受け付け、
前記制御装置は、
複数の、前記注目部の指定に関する情報と前記評価情報とが関連付けられた受付情報に基づいて、前記第１の画像における位置ごとの注目度を表す注目度分布データを生成し、
前記第１の画像および前記注目度分布データに基づいて第２の画像データを生成して、第２の画像として第２の表示手段に表示させるものであり、
複数の前記受付情報に含まれる複数の前記注目部に関する情報に基づいて、前記第１の画像における位置ごとの注目度を決定し、前記位置ごとの注目度に応じて前記注目度分布データを生成する
ことを特徴とする評価システム。
【請求項２】
前記制御装置は、前記注目度に応じて前記第２の画像における表示色が変化するように、前記第２の画像データを生成する
ことを特徴とする請求項１に記載の評価システム。
【請求項３】
前記制御装置は、前記注目度が高いほど色温度が低くなるように、前記第２の画像データを生成する
ことを特徴とする請求項２に記載の評価システム。
【請求項４】
前記制御装置は、前記注目度分布データに基づくヒートマップを生成し、前記第１の画像データに重畳するものであり、前記ヒートマップは透過表示される
ことを特徴とする請求項２ないし３のいずれか１項に記載の評価システム。
【請求項５】
前記受付手段は、前記注目部として、前記第１の画像中の点を指定させる
ことを特徴とする請求項１ないし４のいずれか１項に記載の評価システム。
【請求項６】
前記第１の表示手段は、前記受付手段を兼ねるタッチパネルであり、
前記受付手段は、前記評価者に、前記第１の表示手段に表示された前記第１の画像中の点をタップさせることにより、前記注目部の指定を受け付ける
ことを特徴とする請求項１ないし４のいずれか１項に記載の評価システム。
【請求項７】
前記制御装置は、複数の前記受付情報における、前記第１の画像において前記注目部として指定された点の位置および指定された回数に応じて、前記第１の画像における位置ごとの注目度を決定する
ことを特徴とする請求項５または６に記載の評価システム。
【請求項８】
前記受付手段は、前記注目部として、前記第１の画像における範囲指定を受け付けることにより、前記注目部の指定を受け付ける
ことを特徴とする請求項１ないし４のいずれか１項に記載の評価システム。
【請求項９】
前記制御装置は、複数の前記受付情報における、前記第１の画像において前記注目部として指定された範囲の位置および重なり方に応じて、前記第１の画像における位置ごとの注目度を決定する
ことを特徴とする請求項８に記載の評価システム。
【請求項１０】
前記第１の画像は２次元画像である
ことを特徴とする請求項１ないし９のいずれか１項に記載の評価システム。
【請求項１１】
前記評価対象物は３次元モデルであり、前記第１の表示手段は、前記評価対象物を複数の方向から表示可能である
ことを特徴とする請求項１ないし９のいずれか１項に記載の評価システム。
【請求項１２】
前記評価情報は、前記評価者によって前記注目部が指定されたことを示す情報である
ことを特徴とする請求項１ないし１１のいずれか１項に記載の評価システム。
【請求項１３】
前記評価情報は、予め定められた複数の段階から選択された、前記注目部に対する評価値である
ことを特徴とする請求項１ないし１２のいずれか１項に記載の評価システム。
【請求項１４】
前記評価情報は、前記注目部に対する肯定的評価を示す情報、および、前記注目部に対する否定的評価を示す情報の少なくともいずれかを含む
ことを特徴とする請求項１ないし１３のいずれか１項に記載の評価システム。
【請求項１５】
前記評価情報は、前記評価者による、前記注目部に対するコメントである
ことを特徴とする請求項１ないし１４のいずれか１項に記載の評価システム。
【請求項１６】
前記制御装置は、前記第２の表示手段に表示された前記第２の画像に対する、操作者による操作を受け付ける操作手段を有している
ことを特徴とする請求項１ないし１５のいずれか１項に記載の評価システム。
【請求項１７】
前記制御装置は、前記操作者により、前記制御装置の前記操作手段を用いた前記第２の画像に含まれる特定位置の選択または特定範囲の指定が行われると、当該特定位置または特定範囲に対応する前記注目部に対する前記評価情報を、前記第２の表示手段に表示させる
ことを特徴とする請求項１６に記載の評価システム。
【請求項１８】
前記制御装置は、前記操作者により、前記制御装置の前記操作手段を用いた前記評価情報の指定が行われると、指定された前記評価情報に対応する前記注目度分布データを生成し、当該生成された注目度分布データに基づいて第２の画像データを生成する
ことを特徴とする請求項１６または１７に記載の評価システム。
【請求項１９】
前記評価情報は、予め定められた複数の段階から選択された、前記注目部に対する評価値であり、
前記制御装置の前記操作手段は、前記評価者が前記評価値を複数の段階の中から指定するためのユーザインタフェースを提供する
ことを特徴とする請求項１８に記載の評価システム。
【請求項２０】
前記受付情報には、前記受付情報に含まれる前記注目部の指定および前記評価情報の入力を行った前記評価者の属性を特定する情報が関連付けられている
ことを特徴とする請求項１６ないし１９のいずれか１項に記載の評価システム。
【請求項２１】
前記制御装置は、前記操作者により、前記制御装置の前記操作手段を用いた前記評価者の属性の指定が行われると、指定された前記属性に対応する前記注目度分布データを再生成し、当該再生成された注目度分布データに基づいて第２の画像データを生成する
ことを特徴とする請求項２０に記載の評価システム。
【請求項２２】
前記制御装置は、前記受付情報とは別に、前記評価対象物に対して前記評価者が回答したアンケートの結果を取得するものであり、
前記制御装置は、前記操作者により、前記制御装置の前記操作手段を用いた前記アンケートの結果の指定が行われると、指定された前記アンケートの結果に対応する前記注目度分布データを再生成し、当該再生成された注目度分布データに基づいて第２の画像データを生成する
ことを特徴とする請求項１６ないし２１のいずれか１項に記載の評価システム。
【請求項２３】
前記アンケートの結果には、前記評価者による前記評価対象物の認識に関する情報、前記評価者による前記評価対象物の購入経験の有無を示す情報、および、前記評価者による前記評価対象物の購入の意向の程度を示す情報の、少なくともいずれかが含まれる
ことを特徴とする請求項２２に記載の評価システム。
【請求項２４】
タッチパネルを有する端末と、制御装置と、を備える評価システムであって、
前記端末の前記タッチパネルは、第１の画像を表示するとともに、操作者がタップを行うことによる、前記第１の画像中の注目部の指定操作を受け付けることが可能であり、
前記制御装置は、複数回の前記注目部の指定操作に基づいて前記第１の画像における注目度分布を示すヒートマップを生成して、前記第１の画像に重畳して表示手段に表示するとともに、前記操作者から、当該操作者による前記注目部の指定操作に関する事後アンケートを収集する
ことを特徴とする評価システム。
【請求項２５】
端末が有する第１の表示手段が、第１の画像を表示するステップと、
前記端末の受付手段が、前記第１の表示手段に表示された前記第１の画像における、評価者による注目部の指定および前記注目部に対する評価情報の入力を受け付けるステップと、
制御装置が、複数の、前記注目部の指定に関する情報と前記評価情報とが関連付けられた受付情報に基づいて、前記第１の画像における位置ごとの注目度を表す注目度分布データを生成するステップと、
前記制御装置が、前記第１の画像および前記注目度分布データに基づいて生成された第
２の画像を表示するステップと、
を有することを特徴とする評価方法。
【請求項２６】
タッチパネルを有する端末を用いた評価方法であって、
前記タッチパネルに第１の画像を表示するステップと、
前記タッチパネルが、操作者がタップを行うことによる、前記第１の画像中の注目部の指定操作を受け付けるステップと、
複数回の前記注目部の指定操作に基づいて前記第１の画像における注目度分布を示すヒートマップを生成するステップと、
前記第１の画像に前記ヒートマップを重畳して表示するステップと、
前記操作者から、当該操作者による前記注目部の指定操作に関する事後アンケートを収集するステップと、
を有することを特徴とする評価方法。